(57)【要約】【課題】立てた姿勢での安定性を向上し得る遊技機の枠部材を提供する。【解決手段】前枠が取り付けられた中枠が、外枠１１に取り付けられる。外枠１１は、上枠部２５、下枠部２６、左側枠部２７および右側枠部２８から枠状に形成される。下枠部２６は、金属製の第１部材３４と、第１部材３４の左右端部に連結される金属製の第３連結部材３１および第４連結部材３２で構成される。第１部材３４の底面と、両連結部材３１,３２の底面とは同一平面に位置する。両連結部材３１,３２に設けた構成部３６ｃ,３６ｃによって、下枠部２６の重心は前後方向の中央より後側に位置する。下枠部２６の底面を床面に接地するように外枠１１を立てた姿勢において、該外枠１１に取り付けられた枠構成部材の重心が位置する側とは反対側に下枠部２６の重心が位置するので、枠構成部材の自重による外枠１１を傾倒する作用を抑制し得る。【選択図】図２
2015202382.tif 000002
【特許請求の範囲】
【請求項１】
上枠部、下枠部、左側枠部および右側枠部から枠状に形成されて、枠構成部材が取り付けられる遊技機の枠部材において、
前記下枠部は、金属製の第１部材と、該第１部材の左右の各端部を対応する側枠部に連結する一対の金属製の第２部材とを備え、
前記第１部材および各第２部材は、両部材の底面が同一平面に位置するように連結され、
前記枠構成部材は、該枠構成部材の重心が前記下枠部の前端または後端の何れか一方より外方に位置するように枠部材に取り付けられ、
前記下枠部の底面を床面に接地して枠部材を立てた姿勢での前記下枠部の重心が、該下枠部の前後方向の中央を挟んで前記枠構成部材の重心とは反対の端側に位置するように該下枠部を構成した
ことを特徴とする遊技機の枠部材。
【請求項２】
前記各第２部材は、前記第１部材に連結される下連結部と、前記対応する側枠部に連結される側連結部とが設けられ、
前記側連結部に、前記下枠部の重心を前後方向の中央を挟んで前記枠構成部材の重心とは反対の端側に位置させる構成部が設けられた請求項１記載の遊技機の枠部材。
【請求項３】
前記第１部材に、前記下枠部の重心を前後方向の中央を挟んで前記枠構成部材の重心とは反対の端側に位置させる構成部が設けられた請求項１または２記載の遊技機の枠部材。
【請求項４】
前記下枠部に、前記構成部としての錘部を着脱自在に設けた請求項２または３記載の遊技機の枠部材。
【請求項５】
前記下枠部の底面と同一平面上に位置する補助底面を有し、該下枠部の外縁から補助底面を延出する延出位置および延出しない退避位置の間を移動可能な自立補助部材を備え、前記自立補助部材を延出位置に位置させることで、前記下枠部の底面が床面に接地された立てた姿勢での接地領域を大きくするよう構成される請求項１〜４の何れか一項に記載の遊技機の枠部材。
【請求項６】
前記第１部材に、上下方向に貫通する開口部が左右方向に所定長さで形成されると共に、該第１部材の上面側に、前記開口部から底面側に露出する木製部材が設けられ、該木製部材を介して枠部材が設置部に固定可能に構成される請求項１〜５の何れか一項に記載の遊技機の枠部材。
【発明の詳細な説明】
【技術分野】
【０００１】
この発明は、遊技機の枠部材に関するものである。
【背景技術】
【０００２】
パチンコ機やアレンジボール機等のパチンコ機(遊技機)では、矩形枠状に形成されて遊技店の設置枠台に固定される固定枠としての外枠(枠部材)の開口前面側に、遊技盤を着脱可能に保持する本体枠としての中枠(枠部材)が開閉および着脱可能に組み付けられている。また、中枠の前面側には、遊技盤を透視可能に保護する透明板や球受け皿を設けた装飾枠としての前枠(枠部材)が開閉可能に組み付けられている(例えば、特許文献１参照)。
【先行技術文献】
【特許文献】
【０００３】
【特許文献１】特開２０１１−８３４７０号公報
【発明の概要】
【発明が解決しようとする課題】
【０００４】
前記パチンコ機は、製造段階、運送段階および遊技店の島設備に設置する設置段階等において、中枠および前枠を外枠に組み付けた枠構造体、前枠を中枠に組み付けた枠構造体および前枠単体からなる枠構造体の各形態で取り扱われることがある。そして、このような枠構造体の形態で取り扱われる場合に、前記製造段階、運送段階および設置段階等において、各枠構造体を床等に立てた姿勢で置くことが多い。しかしながら、従来の枠構造体の底部を構成する下枠部は、木製や合成樹脂製であったため、反りや撓み等の変形によって底面に歪みが発生して、枠構造体を立てた際の安定性に欠ける難点があった。また、パチンコ機では、前枠に各種の装飾部を設けたり、発光装置を設置することで装飾性や演出効果を向上することが行われているが、これら装飾部や発光装置の配設位置は該前枠の前後の重量バランスを考慮して決められていないため、該前枠の重心位置は前後方向の中央から前または後に偏っている。このため、前枠のみからなる形態の枠構造体は、立てた姿勢で転倒し易く、自立安定性に欠ける問題があった。また、前枠が前側に取り付けられる形態の各枠構造体においては、該前枠の重量によって枠構造体の重心位置が前後方向の中央から前側に偏るために立てた姿勢では転倒し易く、自立安定性に欠ける問題が指摘される。
【０００５】
すなわち本発明は、従来の技術に係る遊技機の枠部材に内在する前記問題に鑑み、これらを好適に解決するべく提案されたものであって、立てた姿勢での安定性を向上し得る遊技機の枠部材を提供することを目的とする。
【課題を解決するための手段】
【０００６】
前記課題を克服し、所期の目的を達成するため、本願の請求項１に係る発明は、
上枠部(25)、下枠部(26)、左側枠部(27)および右側枠部(28)から枠状に形成されて、枠構成部材(12,13)が取り付けられる遊技機の枠部材において、
前記下枠部(26)は、金属製の第１部材(34)と、該第１部材(34)の左右の各端部を対応する側枠部(27,28)に連結する一対の金属製の第２部材(31,32)とを備え、
前記第１部材(34)および各第２部材(31,32)は、両部材(34,31,32)の底面が同一平面に位置するように連結され、
前記枠構成部材(12,13)は、該枠構成部材(12,13)の重心が前記下枠部(26)の前端または後端の何れか一方より外方に位置するように枠部材(11)に取り付けられ、
前記下枠部(26)の底面を床面に接地して枠部材(11)を立てた姿勢での前記下枠部(26)の重心が、該下枠部(26)の前後方向の中央を挟んで前記枠構成部材(12,13)の重心とは反対の端側に位置するように該下枠部(26)を構成したことを要旨とする。
【０００７】
請求項１に係る発明によれば、枠部材の下枠部を、金属製の第１部材および第２部材で構成すると共に、両部材の底面を同一平面に位置するように連結したので、枠部材を床に立てた姿勢で置いた場合の安定性を向上することができる。また、下枠部の重心を、該下枠部の前後方向の中央を挟んで枠構成部材の重心とは反対の端側に位置するよう構成したので、枠構成部材によって枠部材が傾倒するのを抑制することができ、枠部材を床に立てた姿勢で置いた場合の転倒を抑制し得る。
【０００８】
請求項２に係る発明では、前記各第２部材(31,32)は、前記第１部材(34)に連結される下連結部(35)と、前記対応する側枠部(27,28)に連結される側連結部(36)とが設けられ、
前記側連結部(36)に、前記下枠部(26)の重心を前後方向の中央を挟んで前記枠構成部材(12,13)の重心とは反対の端側に位置させる構成部(36c)が設けられたことを要旨とする。
請求項２に係る発明によれば、第２部材に構成部を設けるだけの簡単な構成で、枠部材を立てた姿勢での安定性を向上し得る。
【０００９】
請求項３に係る発明では、前記第１部材(34)に、前記下枠部(26)の重心を前後方向の中央を挟んで前記枠構成部材(12,13)の重心とは反対の端側に位置させる構成部(34c)が設けられたことを要旨とする。
請求項３に係る発明によれば、第１部材に構成部を設けるだけの簡単な構成で、枠部材を立てた姿勢での安定性を向上し得る。
【００１０】
請求項４に係る発明では、前記下枠部(26)に、前記構成部としての錘部(53)を着脱自在に設けたことを要旨とする。
請求項４に係る発明によれば、構成部としての錘部を着脱自在に構成したので、必要がなくなった場合には取り外して別の枠部材に取り付けて使用することができる。
【００１１】
請求項５に係る発明では、前記下枠部(26)の底面と同一平面上に位置する補助底面を有し、該下枠部(26)の外縁から補助底面を延出する延出位置および延出しない退避位置の間を移動可能な自立補助部材(43)を備え、前記自立補助部材(43)を延出位置に位置させることで、前記下枠部(26)の底面が床面に接地された立てた姿勢での接地領域を大きくするよう構成されることを要旨とする。
請求項５に係る発明によれば、自立補助部材を下枠部の外縁から延出することによって床面に対する接地領域を大きくすることができるので、枠部材を立てた姿勢での安定性をより向上し得る。
【００１２】
請求項６に係る発明では、前記第１部材(34)に、上下方向に貫通する開口部(34d)が左右方向に所定長さで形成されると共に、該第１部材(34)の上面側に、前記開口部(34d)から底面側に露出する木製部材(37)が設けられ、該木製部材(37)を介して枠部材(11)が設置部(24)に固定可能に構成されることを要旨とする。
請求項６に係る発明によれば、設置部に対して木製部材を介して枠部材を容易に固定できる。
【発明の効果】
【００１３】
本発明に係る遊技機の枠部材によれば、立てた姿勢での安定性を向上し得る。
【図面の簡単な説明】
【００１４】
【図１】実施例に係るパチンコ機を示す正面図である。
【図２】実施例に係る外枠を後側から見た概略斜視図である。
【図３】実施例に係る外枠を、下枠部を分解した状態で前側から見た要部概略斜視図である。
【図４】実施例に係る外枠を、下枠部を分解した状態で後側から見た要部概略斜視図である。
【図５】実施例に係る外枠の底面図である。
【図６】図５のＡ−Ａ線に対応する外枠の要部断面図であって、音出力装置は省略してある。
【図７】図５のＢ−Ｂ線に対応する外枠の要部断面図である。
【図８】図５のＣ−Ｃ線に対応する外枠の要部断面図である。
【図９】図５のＤ−Ｄ線に対応する外枠の要部断面図である。
【図１０】実施例に係る外枠の横断平面図であって、(ａ)は自立補助部材の退避位置の状態を示し、(ｂ)は自立補助部材の延出位置の状態を示している。
【図１１】別実施例に係る下枠部を構成する第３連結部材(第２部材)を示す横断平面図である。
【発明を実施するための形態】
【００１５】
次に、本発明に係る遊技機の枠部材につき、好適な実施例を挙げて、添付図面を参照して以下に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１６】
(パチンコ機１０について)
実施例に係るパチンコ機１０は、図１に示すように、矩形枠状に形成されて遊技店の設置枠台(設置部)２４に固定される固定枠としての外枠(枠部材)１１の開口前面側に、遊技盤２０を着脱可能に保持する本体枠としての中枠(枠部材)１２が開閉および着脱可能に取り付けられると共に、遊技盤２０の後側に、図柄を変動表示可能な表示装置１７が着脱し得るよう配設されている。また、中枠１２の前面側には、遊技盤２０を透視可能に保護する透明板１３ａで前後に開口する窓口１３ｂを覆うよう構成された装飾枠としての前枠(枠部材)１３が開閉可能に取り付けられると共に、該前枠１３の下方にパチンコ球を貯留する下球受け皿１５が開閉可能に取り付けられる。なお、実施例では、前枠１３の下部位置に、パチンコ球を貯留する上球受け皿１４が一体的に取り付けられており、前枠１３の開閉に合わせて上球受け皿１４も一体的に開閉するよう構成される。
【００１７】
前記前枠１３には、図１に示す如く、下球受け皿１５の右側方に、前記中枠１２に配設された打球発射装置(図示せず)を作動する操作ハンドル１６が設けられる。この操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤２０に向けて発射されるようになっている。ここで、前記操作レバー１６ａの回動量に応じて前記打球発射装置によるパチンコ球の打球力が強弱変化するよう構成されており、遊技者が操作レバー１６ａを操作して回動量を調節することで、前記遊技盤２０に形成された後述する遊技領域２２に対する打込み位置を打ち分け得るようになっている。また、前枠１３には、窓口１３ｂの外周を囲繞するようにランプ装置(発光装置)１８が配設されると共に、該前枠１３における上部の左右の隅部に、音声や効果音を出力可能なスピーカ(音出力手段)１９が配設されている。すなわち、前記ランプ装置１８に設けられたＬＥＤ等の発光体(図示せず)を点灯・点滅したり、前記スピーカ１９から適宜の音声を出力することで、前記表示装置１７での図柄変動演出に合わせて発光演出や音声演出を行い得るよう構成されている。なお、ランプ装置１８は、発光体を実装した発光基板を装飾部材で前側から被覆して構成されて、該装飾部材が前枠１３(パチンコ機１０)の前面を構成している。
【００１８】
ここで、前記前枠１３は、全体が合成樹脂により前記中枠１２の外形サイズに成形されると共に裏側に金属製のベース部材を備えた本体部に前記窓口１３ｂが開設されて枠状に形成されている。実施例では、前枠１３における窓口１３ｂの上側および左右両側に位置する上枠部および左右の側枠部の夫々に前記ランプ装置１８が取り付けられると共に、該前枠１３における窓口１３ｂの上側に位置する上枠部の左右の隅部の夫々に前記ランプ装置１８が取り付けられ、更に該前枠１３における窓口１３ｂの下側に位置する下枠部に前記各球受け皿１４,１５が取り付けられている。また、前記透明板１３ａは、ベース部材の裏側に取り付けられている。そして、前枠１３は、前記透明板１３ａ、ランプ装置１８、スピーカ１９および球受け皿１４,１５が取り付けられた状態において、当該前枠１３の重心が前後方向の中央より前側に位置している。また、前記中枠１２は、図示しないが、上枠部、下枠部、左側枠部および右側枠部を枠組み連結することで枠状に形成されており、上下左右の枠部を組み付けることで形成されて前後に開口する開口部の前側に前記遊技盤２０が着脱自在に取り付けられると共に、該開口部の下側に位置する下枠部に前記打球発射装置が取り付けられる。また、中枠１２の前側における左側枠側に設けられて上下に離間する軸支持部に、前記前枠１３が開閉自在に支持されるようになっている。そして、中枠１２は、前記遊技盤２０、打球発射装置および前枠１３が取り付けられた状態において、当該中枠１２の重心が前後方向の中央より前側に位置している。より具体的には、中枠１２の前側に前枠１３が取り付けられることで、該中枠１２における下枠部の前端より前側(外方)に重心が位置している。なお、ランプ装置１８、スピーカ１９および球受け皿１４,１５等の各種部材が取り付けられた形態で前枠１３を取り扱う場合には、ランプ装置１８、スピーカ１９および球受け皿１４,１５等の前枠１３に取り付けられる全ての部材を含めた単位が枠構成部材に相当し、遊技盤２０、打球発射装置および前枠１３等の各種部材が取り付けられた形態で中枠１２を取り扱う場合は、遊技盤２０、打球発射装置および前枠１３等の中枠１２に取り付けられる全ての部材を含めた単位が枠構成部材に相当する。すなわち、枠部材である中枠１２や前枠１３に取り付けられて枠部材と一体で取り扱い得る部材の全体を含めた単位が枠構成部材であって、中枠１２および前枠１３が取り付けられた形態で外枠１１を取り扱う場合は、中枠１２および前枠１３を含めて外枠１１に取り付けられる全ての部材を含めた単位が枠構成部材に相当する。
【００１９】
前記遊技盤２０の前面には、略円形状に湾曲形成した案内レール２１(図１参照)が配設されると共に、該案内レール２１により画成される略円形の遊技領域２２に、前記打球発射装置から発射されたパチンコ球が打ち出されることで遊技が行われるようになっている。また、遊技盤２０には、遊技領域２２の最下部位置に、該遊技領域２２に打ち出されたパチンコ球を排出するアウト口２３が開設されている。なお、遊技盤２０には、図示しないが、遊技領域２２内に多数の遊技釘や所謂「風車」とも称される回転案内部材が配設されており、遊技領域２２を流下するパチンコ球が遊技釘や回転案内部材に接触することで、流下方向が不規則に変化するよう構成されている。
【００２０】
(外枠１１について)
実施例の前記外枠１１は、図２に示すように、該外枠１１の上辺を構成する上枠部２５と、該外枠１１の下辺を構成する下枠部２６と、該外枠１１の左辺を構成する左側枠部２７と、該外枠１１の右辺を構成する右側枠部２８とから基本的に構成され、これら各枠部２５,２６,２７,２８を枠組み連結することで縦長矩形の枠状に形成される。すなわち、上枠部２５の左端部を左側枠部２７に第１連結部材２９を介して連結固定すると共に、該上枠部２５の右端部を右側枠部２８に第２連結部材３０を介して連結固定し、更に下枠部２６の左端部を左側枠部２７に第３連結部材(第２部材)３１を介して連結固定すると共に、該下枠部２６の右端部を右側枠部２８に第４連結部材(第２部材)３２を介して連結固定することで、当該外枠１１は縦長矩形状の枠部材として構成される。そして、この外枠１１に基体が収容されるように取り付けられた前記中枠１２の開口前面側に、各種の遊技構成部材用の搭載枠ともされる前記前枠１３が、連結部材および施錠手段を利用して開閉および着脱可能に取り付けられるようになっている。
【００２１】
(上枠部２５について)
前記上枠部２５は、図２に示すように、所要厚みの長尺な木製の板材で構成され、該上枠部２５の上面における左端部に、Ｌ字状に形成された前記第１連結部材２９の横方向に延在する第１辺２９ａがネジ止め固定されており、該第１連結部材２９の縦方向に延在する第２辺２９ｂが上枠部２５の左端から所定長さで垂下するよう構成される。また、上枠部２５の上面における右端部に、Ｌ字状に形成された前記第２連結部材３０の横方向に延在する第１辺３０ａがネジ止め固定されており、該第２連結部材３０の縦方向に延在する第２辺３０ｂが上枠部２５の右端から所定長さで垂下するよう構成される。前記第１連結部材２９および第２連結部材３０は板金を折り曲げて形成されたものであって、第１連結部材２９には、前記外枠１１に対して前記中枠１２を開閉自在に支持する上軸支持部３３が設けられている。
【００２２】
(左側枠部２７および右側枠部２８について)
前記左側枠部２７および右側枠部２８は、図２〜図４に示すように、薄肉(例えば１ｍｍ程度)の金属板材を、横断面が他方の側枠部２７,２８に対向する内側に開口する略コ字状に形成された板部材である。また、各側枠部２７,２８の外側面には、前後方向の中央から前側に偏った位置において外側に突出する位置決め部２７ａ,２８ａが上下方向の全長に亘って形成されており、該側枠部２７,２８の外側面における位置決め部２７ａ,２８ａより後側には、該位置決め部２７ａ,２８ａに対して相対的に外枠１１の内側に凹む凹段部２７ｂ,２８ｂが形成されている。そして、左側枠部２７における外側面の凹段部２７ａを前記第１連結部材２９の第２辺２９ｂの内側に当接した状態で、該左側枠部２７が第１連結部材２９にネジ止め固定されている。また、右側枠部２８における外側面の凹段部２８ｂを前記第２連結部材３０の第２辺３０ｂの内側に当接した状態で、該右側枠部２８が第２連結部材３０にネジ止め固定されている。両側枠部２７,２８は、対応する連結部材２９,３０における第２辺２９ｂ,３０ｂの前端に位置決め部２７ａ,２８ａの後端を当接することで前後方向の位置決めがなされるようになっている。
【００２３】
前記左側枠部２７における後外角部(後左角部)および右側枠部２８における後外角部(後右角部)に、下端から上方に所定長さで切欠部２７ｃ,２８ｃが形成されている。そして、左側枠部２７の切欠部２７ｃに、前記第３連結部材３１の後述する側規制壁３６ａが嵌合すると共に、右側枠部２８の切欠部２８ｃに、前記第４連結部材３２の後述する側規制壁３６ａが嵌合するよう構成される(図２参照)。
【００２４】
(下枠部２６について)
前記下枠部２６は、図３,図４に示す如く、金属製の第１部材３４と、該第１部材３４の左右方向の両端部に連結される一対の金属製の第２部材３１,３２とから構成され、該第２部材３１,３２が対応する側枠部２７,２８に連結されるよう構成される。すなわち、実施例では、下枠部２６を構成する一対の第２部材３１,３２の一方が、該下枠部２６と左側枠部２７とを連結する第３連結部材として機能すると共に、一対の第２部材３１,３２の他方が、該下枠部２６と右側枠部２８とを連結する第４連結部材として機能するよう構成される。そこで、以下の説明では、第２部材３１,３２を区別する場合は、下枠部２６と左側枠部２７とを連結する第２部材３１を第３連結部材と指称し、下枠部２６と右側枠部２８とを連結する第２部材３２を第４連結部材と指称する。
【００２５】
(第１部材３４について)
前記第１部材３４は、図３,図４に示す如く、左右方向に長手が延在する平板状の本体部３４ａの前端縁に、該本体部３４ａの下面から前記連結部材３１,３２の後述する下連結部３５,３５の厚み分だけ下方に突出する支持部３４ｂが左右方向に延在するように形成されている。また、本体部３４ａの上面には、上方に突出する位置決め壁３４ｃが、本体部３４ａの後端縁に沿って該本体部３４ａの全長に亘って形成されている。この位置決め壁３４ｃは、下枠部２６に対する左右の側枠部２７,２８の位置決めおよび後述する収容ボックス３９の位置決めを図るように機能する。第１部材３４は、金属材(例えば、アルミニウム等)を中空に押出し成形した押出成形品であって、前記本体部３４ａおよび支持部３４ｂの底面は、高い平面度を保持し得るよう構成される。また、第１部材３４は、本体部３４ａの前端縁および後端縁に、板面に対して直交(交差)する方向に突出する支持部３４ｂおよび位置決め壁３４ｃを対応する端縁に沿って形成しているので、これら支持部３４ｂおよび位置決め壁３４ｃが補強リブとして機能して極めて高い剛性を有し、捻れ変形や撓み変形を抑制し得るよう構成されている。また実施例では、前記本体部３４ａの後端縁に沿って形成された位置決め壁３４ｃが、前記下枠部２６の重心を前後方向の中央より後側(下枠部２６の前後方向の中央を挟んで外枠１１に取り付けられた枠構成部材の重心とは反対の端側)に位置させる構成部として機能している。なお、本体部３４ａの後下角部に、第３連結部材３１および第４連結部材３２の後述する下規制壁３５ａが嵌り込む凹み部３４ｅ(図７参照)が左右方向に延在するように形成されている。
【００２６】
前記第１部材３４の本体部３４ａには、図３〜図５に示す如く、左右方向に所定長さで延在する開口部３４ｄが上下方向に貫通するように形成されている。この開口部３４ｄは、図５に示す如く、前記下枠部２６における左右方向の中央部に位置して、該開口部３４ｄから後述する木製部材３７が底面側に露出するよう構成される(図６,図８参照)。また、第１部材３４には、左右両端の前部に切欠部３４ｆが夫々形成されており、後述する前板３８に配設された自立補助部材４３における脚部４６の底面(補助底面)が該切欠部３４ｆを介して下枠部２６の底面側に露出するようになっている(図５参照)。なお、実施例では、前記支持部３４ｂの左右方向の両端部を、左右方向に所定長さで切欠くことで前記切欠部３４ｆ,３４ｆが該支持部３４ｂの前後幅で形成されている。
【００２７】
(第３連結部材３１および第４連結部材３２について)
前記下枠部２６の第１部材３４を左右の側枠部２７,２８に連結する前記第３連結部材３１および第４連結部材３２の構成は左右対称であるので、第３連結部材３１の構成について説明し、第４連結部材３２の同一部分には同じ符号を付して詳細説明は省略するものとする。
【００２８】
前記第３連結部材３１は、正面視において略Ｌ字形に形成され、前記第１部材３４の本体部３４ａにおける下面の左端部に連結される下連結部３５と、前記左側枠部２７における外側面の下端部に連結される側連結部３６とを備え、夫々の連結部３５,３６は、複数のネジを介して対応する部材３４,２７に固定される。これにより第１部材３４(下枠部２６)と左側枠部２７とは、第３連結部材３１を介して強固に連結される。なお、下連結部３５と側連結部３６とは直交する構成が好ましいが、当該第３連結部材３１を介して下枠部２６(第１部材３４)と左側枠部２７とを連結した状態での該下枠部２６と左側枠部２７との関係が、前記中枠１２を含む枠構成部材を外枠１１に取り付ける際に支障のない位置関係となるように、下連結部３５と側連結部３６とが所定の公差範囲(例えば、９０度±０.５度)で交差していればよい。なお、第４連結部材３２についても同様に、当該第４連結部材３２を介して下枠部２６(第１部材３４)と右側枠部２８とを連結した状態での該下枠部２６と右側枠部２８との関係が、前記中枠１２を含む枠構成部材を外枠１１に取り付ける際に支障のない位置関係となるように、下連結部３５と側連結部３６とが所定の公差範囲(例えば、９０度±０.５度)で交差していればよい。
【００２９】
前記第３連結部材３１における下連結部３５には、図４,図７に示す如く、該下連結部３５の上面から上方に突出する下規制壁３５ａが、該下連結部３５の後端縁に沿って延在するように形成されている。また、下連結部３５の前端から下規制壁３５ａの前面までの前後方向の長さは、前記第１部材３４における本体部３４ａの凹み部３４ｅから支持部３４ｂまでの前後方向の寸法より僅かに短かい寸法に設定されており、図７に示す如く、下連結部３５の下規制壁３５ａを本体部３４ａの凹み部３４ｅに嵌め込むと共に該下連結部３５を本体部３４ａの下面に当接した状態で、該下連結部３５の前端が前記支持部３４ｂの後端に近接するようになっている。下連結部３５の上下方向の厚み寸法は、第１部材３４における支持部３４ｂの本体部３４ａからの突出寸法と同じに設定されており、該下連結部３５を本体部３４ａにネジ止め固定した状態で、図６,図７に示す如く、下連結部３５(第３連結部材３１)の底面と第１部材３４における支持部３４ｂの底面とが同一平面に位置するよう構成される。そして、外枠１１を床面に立てた姿勢で置いた状態では、左右の連結部材３１,３２の下連結部３５,３５の底面と、第１部材３４における支持部３４ｂの底面とが床面に接地することで該外枠１１が安定的に自立可能に構成されている。なお、下連結部３５および支持部３４ｂは、両底面の全体が同一平面に位置する場合に限らず、両底面の一部が同一平面に位置するものであってもよい。
【００３０】
ここで、前記下枠部２６を構成する第１部材３４における支持部３４ｂの底面および連結部材３１,３２の下連結部３５,３５の底面が、下枠部２６の最下面を構成しており、外枠１１を床面に立てた姿勢で置いた場合には該支持部３４ｂおよび下連結部３５,３５の底面が床面に接地するようになっていることから、以後の説明では、下枠部２６の底面または外枠１１の底面とは、支持部３４ｂおよび下連結部３５,３５の底面を指すものとして用いる。
【００３１】
前記第３連結部材３１における側連結部３６には、図２,図４に示す如く、該側連結部３６の上面から上方に突出する側規制壁３６ａが、該側連結部３６の後端縁に沿って延在するように形成されている。また側連結部３６には、下端から所定高さだけ上側の位置から上端まで、前端から後側に所定幅で切欠かれた切欠部３６ｂが形成されており、該切欠部３６ｂの形成位置の部位での側連結部３６の前後幅寸法が小さくなっている。実施例では、側連結部３６における切欠部３６ｂによって前後幅寸法が小さくなっている部分が構成部３６ｃであって、該構成部３６ｃを第３連結部材３１の前端より後側に偏って形成することで、該第３連結部材３１の重心が前後方向の中央より後側に位置するよう構成される。そして、第１部材３４の左右両端に連結された連結部材(第２部材)３１,３２における重心を、該連結部材３１,３２の前後方向の中央より後側に位置させることで、該第１部材３４および一対の連結部材３１,３２から構成される下枠部２６の重心が、該下枠部２６の前後方向の中央より後側に位置するように構成してある。すなわち、側連結部３６,３６に設けた構成部３６ｃ,３６ｃによって、下枠部２６の重心を前後方向の中央を挟んで外枠１１に取り付けられた枠構成部材の重心とは反対の端側(実施例では後端側)に位置させるようになっている。なお、実施例の連結部材３１,３２では、前記下連結部３５および側連結部３６の後端縁に形成した各規制壁３５ａ,３６ａも、連結部材３１,３２の重心(下枠部２６の重心)を前後方向の中央より後側(外枠１１に取り付けられた枠構成部材の重心とは反対の端側)に偏らせる構成部として機能している。
【００３２】
ここで、実施例のパチンコ機１０では、前記外枠１１に取り付けられた枠構成部材(中枠１２や前枠１３等の外枠１１に取り付けられる全ての部材を１つの単位とした部材)の重心は、前記下枠部２６の前端より外方(前側)に位置すると共に、該枠構成部材が取り付けられた状態での外枠１１の重心は前後方向の中央より前側に位置している。そして、下枠部２６の底面(支持部３４ｂおよび下連結部３５,３５の底面)を床面に接地して外枠１１を立てた姿勢では、枠構成部材の自重が外枠１１を下枠部２６の前端を支点として前方に傾倒する方向に作用する状態となる。そこで、実施例のパチンコ機１０では、下枠部２６の底面(支持部３４ｂおよび下連結部３５,３５の底面)を床面に接地して外枠１１を立てた姿勢での前記下枠部２６の重心を、該下枠部２６の前後方向の中央を挟んで枠構成部材の重心とは反対の後側に位置するよう構成することで、枠構成部材の自重によって外枠１１を前側に傾倒させる力を抑制し得るようにしている。
【００３３】
前記第３連結部材３１の側連結部３６に形成される切欠部３６ｂの前後方向の寸法は、対応する前記左側枠部２７における位置決め部２７ａの前後方向の寸法と略同じに設定されており、図２に示す如く、側連結部３６を左側枠部２７の前記凹段部２７ｂの外側面に当接した状態で、前記構成部３６ｃの前端が位置決め部２７ａの後端に当接すると共に、該側連結部３６の側規制壁３６ａが左側枠部２７の切欠部２７ｃに嵌り込むことで、左側枠部２７に対する第３連結部材３１の前後方向の位置決めがなされるようになっている。なお、側連結部３６の左右方向の厚み寸法は、左側枠部２７における位置決め部２７ａの凹段部２７ｂの外側面からの突出寸法と同じに設定されており、該側連結部３６を左側枠部２７にネジ止め固定した状態で、構成部３６ｃが位置決め部２７ａより外側に突出しないよう構成される。また、第３連結部材３１を介して第１部材３４に連結される左側枠部２７は、該第１部材３４の前記位置決め壁３４ｃによっても位置決めされるようになっている。
【００３４】
(木製部材３７について)
前記下枠部２６における第１部材３４には、矩形板状の木製部材３７が配設される。この木製部材３７は、図６に示す如く、前記第１部材３４の開口部３４ｄより長尺に形成された基体部３７ａの下面に、該開口部３４ｄに嵌挿可能な形状・寸法に形成された突部３７ｂが設けられている。そして、突部３７ｂを開口部３４ｄに上側から嵌挿した状態で、基体部３７ａが第１部材３４の上面に当接した状態でネジ止め固定されている。この木製部材３７は、前記外枠１１を前記設置枠台２４に取り付けるに際し、釘を利用して前記上枠部２５を設置枠台２４に固定すると共に、下枠部２６を前後方向へ変位させたもとで、当該木製部材３７における開口部３４ｄから突部３７ｂが露出する部位において釘を用いて設置枠台２４に固定することで、該外枠１１を設置枠台２４に対して適切な傾斜状態で固定し得るよう構成される。
【００３５】
ここで、前記木製部材３７は、設置枠台２４に対する釘による固定が容易な反面、周囲の湿度変化(環境変化)によって寸法が変化し易く、前記木製部材３７における突部３７ｂの底面を、前記支持部３４ｂおよび下連結部３５,３５の底面と同一平面に位置するように設定すると、周囲の湿度変化によっては該木製部材３７の底面のみが支持部３４ｂや下連結部３５,３５の底面から突出してしまい、外枠１１を立てた姿勢での安定性が低下するおそれがある。そこで、実施例では、前記木製部材３７における突部３７ｂの底面は、図８に示す如く、前記第１部材３４の支持部３４ｂの底面および連結部材３１,３２の下連結部３５,３５の底面から下方に突出しないよう構成してある。すなわち、支持部３４ｂおよび下連結部３５,３５を床面に接地して外枠１１を立てた姿勢において木製部材３７が床面に接触しないよう構成されている。なお、外枠１１を設置枠台２４に固定する際には、木製部材３７の底面が設置枠台２４に接触していなくても釘による固定はなし得るが、支持部３４ｂおよび下連結部３５,３５の底面と木製部材３７の底面との高さ方向の差が大きいと、釘による固定強度が低下するおそれがあることから、支持部３４ｂおよび下連結部３５,３５の底面と木製部材３７の底面との高さ方向の差は数ミリ程度とするのが好ましい。
【００３６】
(音出力装置４０について)
前記外枠１１の前面下部に、図３に示す如く、左右の側枠部２７,２８間に前板３８が配設されると共に、該前板３８の左右に離間する２箇所に前後方向に貫通する音出力口３８ａが夫々形成されている。また、前板３８の裏側に、該前板３８との間に収容空間Ｓを画成する前側に開口する収容ボックス３９が配設されており、該収容ボックス３９内には、遊技中に発生する様々な遊技状態に応じて各種効果音を出力し得る音出力装置４０が各音出力口３８ａと対応する位置に配設されている(図７参照)。前記前板３８の前面には、前後方向に貫通する放音口４１ａが形成されたカバー部材４１が、各音出力口３８ａを前側から被覆するように配設されており(図１参照)、前記音出力装置４０から出力された音は、音出力口３８ａおよび放音口４１ａを介してパチンコ機１０の前方へ放出されるよう構成される。なお、収容ボックス３９は、前記第１部材３４の位置決め壁３４ｃによって位置決めされるようになっている(図７参照)。
【００３７】
前記左側枠部２７の内側に、前記前板３８より前方に延出する下軸支持部４２が配設されており、該下軸支持部４２と前記第１連結部材２９に設けた上軸支持部３３とによって、前記中枠１２が外枠１１に対して開閉自在に枢支されるようになっている。なお、前記音出力装置４０は、外枠１１に対して中枠１２の下端部を支持する下軸支持部４２より下側に位置しており、当該音出力装置４０は外枠１１の最下部に配置されている。
【００３８】
(自立補助部材４３について)
前記前板３８の裏側には、左右の側枠部２７,２８の内側に臨む位置に、前記外枠１１を床面に立てた姿勢で自立するのを補助する自立補助部材４３が夫々配設されている。この自立補助部材４３は、図３および図４に示す如く、上下方向に延在する支軸４４と、該支軸４４に回動自在に外嵌された筒状部４５と、該筒状部４５の下端に設けられた脚部４６とを備える。筒状部４５は、前記支軸４４が挿通される軸孔４５ａが形成された筒状の部材であって、該筒状部４５の上下方向の中間位置には大径部４５ｂが設けられている。前記前板３８の裏側には、図９に示す如く、後方に突出する上支持受部４７および下支持受部４８が上下に離間して突設されると共に、両支持受部４７,４８には上下方向に貫通する支持孔４７ａ,４８ａが形成されている。そして、自立補助部材４３は、筒状部４５が上下に離間する支持孔４７ａ,４８ａに回動自在に挿通された状態で前板裏面に支持されている。また、前板３８の裏面には、筒状部４５の大径部４５ｂが回動自在に嵌る凹溝３８ｂが形成されており、該凹溝３８ｂに大径部４５ｂが嵌ることで、該自立補助部材４３の上下方向の移動が規制されるようになっている。
【００３９】
前記前板３８の下支持受部４８には、支持孔４８ａに連通すると共に下方および前方に開口する収容部４９が形成されており(図１０参照)、支持孔４８ａから下方に突出する筒状部４５の下端部に設けられた前記脚部４６が、該収容部４９に収容可能に構成されている。自立補助部材４３は、筒状部４５を回転することで、脚部４６が収容部４９に収容されて前板３８の前方へ延出しない退避位置(図１０(ａ))と、該脚部４６が前板３８の前方へ延出する延出位置(図１０(ｂ))とに変位するよう構成される。実施例の脚部４６は、底面視において略扇状に形成されている。
【００４０】
ここで、図５に示す如く、前記前板３８の前端は下枠部２６における第１部材３４(具体的には支持部３４ｂ)の前端縁(外縁)と略同一位置に位置しており、自立補助部材４３を退避位置に位置させた状態で、前記脚部４６は第１部材３４の前端縁より前方に延出しないよう構成される。そして、自立補助部材４３を延出位置に位置させた状態で、前記脚部４６は第１部材３４の前端縁より前方に延出するよう構成される。また、脚部４６の底面(以後、補助底面と指称する)は、図６に示す如く、前記支持部３４ｂの底面と同一平面に位置するよう構成されており、外枠１１を下枠部２６の底面が床面に接地された立てた姿勢での接地領域を自立補助部材４３を延出位置に位置させることで大きくし得るようになっている。すなわち、実施例では、前記下枠部２６の底面を床面に接地して外枠１１を立てた姿勢では、該外枠１１に取り付けられた枠構成部材の自重が外枠１１を前方に傾倒する方向に作用する状態となっているため、両自立補助部材４３,４３を下枠部２６の前縁から前側に延出することで、外枠１１が前側に傾倒するのを抑制し得るようになっている。
【００４１】
〔実施例の作用〕
次に、前述のように構成された実施例に係るパチンコ機１０の外枠１１の作用につき説明する。
【００４２】
実施例の前記外枠１１では、前記下枠部２６を構成する第１部材３４および一対の連結部材３１,３２の夫々を金属製としたので、下枠部２６の剛性が向上すると共に、該下枠部２６の反りや撓み等の変形を抑制することができる。従って、第１部材３４および一対の連結部材３１,３２の底面を同一平面に位置するよう構成した下枠部２６の底面を床面に接地するように外枠１１を立てた姿勢での安定性を向上し得る。すなわち、パチンコ機１０の製造段階、運送段階および設置段階等において外枠１１を床面に立てた姿勢で置いた場合の自立安定性が向上する。
【００４３】
実施例の前記外枠１１は、前記下枠部２６の底面を床面に接地するように立てた姿勢において、該下枠部２６の重心が、外枠１１に取り付けられている枠構成部材の重心が位置する外枠前側とは反対の後側に位置するよう構成してあるので、枠構成部材の自重によって外枠１１を下枠部２６の前端を支点として前側へ傾倒するように作用する力を抑制することができる。また、下枠部２６の重心を後側に偏らせる構成は、該下枠部２６を構成する連結部材(第２部材)３１,３２に構成部３６ｃ,３６ｃを後側に偏って設けるだけであるので、構成が簡単である。更に、実施例では、下枠部２６を構成する第１部材３４に設けた位置決め壁３４ｃによっても下枠部２６の重心を後側に偏らせているので、立てた姿勢の外枠１１が枠構成部材によって前側へ傾倒するのを抑制する効果が高く、安定性が向上する。また、外枠１１を立てた姿勢では、前記下枠部２６の第１部材３４における前後方向の中央より前側に偏っている支持部３４ｂの底面が床面に接地する。すなわち、枠構成部材によって外枠１１を傾倒する力が加わる側(実施例では前側)における下枠部２６の左右方向の略全長が床面に接地することで、外枠１１を傾倒する力を広い領域で受けることができる。
【００４４】
また、実施例の前記外枠１１では、該外枠１１の最下部に音出力装置４０,４０を配置して低重心化を図るよう構成してあるので、該外枠１１自体の自立安定性が高められている。従って、外枠１１に枠構成部材を取り付けた状態で、該外枠１１を立てた姿勢とした場合の安定性も高められ、該外枠１１が転倒するのを抑制し得る。
【００４５】
実施例の前記外枠１１では、前記前板３８に配設した一対の自立補助部材４３,４３を延出位置に移動することで、図１０(ｂ)に示す如く、前記下枠部２６の前縁より前側に脚部４６,４６が延出する。この脚部４６,４６の補助底面は下枠部２６の底面(支持部３４ｂおよび下連結部３５,３５の底面)と同一平面に位置しているので、下枠部２６の底面を床面に接地するように外枠１１を立てた姿勢では両脚部４６,４６の分だけ床面に対する接地領域が大きくなり、立てた姿勢での安定性がより向上する。また、脚部４６,４６は、下枠部２６の前端から前方に延出するので、外枠１１に取り付けられている枠構成部材の自重によって立てた姿勢の外枠１１が前側へ傾倒する際の支点位置を下枠部２６の前端より前方に位置させることができ、該下枠部２６の重心を後側に偏らせたことと相俟って、該外枠１１が傾倒するのを抑制することができる。また、自立補助部材４３,４３の退避位置では、図１０(ａ)に示す如く、前記脚部４６,４６は下枠部２６の前縁より前側に延出しないので、外枠１１を前記設置枠台２４に取り付けた状態では該自立補助部材４３,４３を退避位置に位置させておけば脚部４６,４６が邪魔となることはない。
【００４６】
前記下枠部２６には、図６,図８に示す如く、底面側に露出するように前記木製部材３７が配設されているので、当該外枠１１を前記設置枠台２４に取り付けるに際し、釘を利用して下枠部２６を簡単に設置枠台２４に固定することができる。すなわち、下枠部２６を金属製として反りや撓み等を抑制して自立安定性を高めたもとで、設置枠台２４に対する外枠１１の固定を簡単に行うことができる。また、木製部材３７における突部３７ｂの底面は、前記下枠部２６の底面(具体的には支持部３４ｂおよび下連結部３５,３５の底面)から下方に突出しないので、外枠１１を立てた姿勢において該木製部材３７が床面に接触することで該外枠１１のバランスを崩すことはない。
【００４７】
(別実施例について)
図１１は、前記下枠部２６における第２部材の別実施例を示すものであって、図１１では第２部材としての第３連結部材５０を示しているが、第４連結部材５１にも同様な構成が採用される。なお、別実施例における第３連結部材５０の基本的な構成は、実施例の第３連結部材３１と同じであるので、異なる部分について説明し、同一部材には同じ符号を付して説明は省略する。
【００４８】
別実施例の第３連結部材５０には、前記側連結部３６の内側における前後方向の中央より後側の位置に取着手段５２を介して構成部としての錘部材(錘部)５３が着脱自在に取り付けられる。取着手段５２は、側連結部３６に形成されたネジ孔５４と、錘部材５３に形成された通孔に挿通されるネジ５５とから構成され、該ネジ５５をネジ孔５４に螺挿することで側連結部３６に錘部材５３が固定されるようになっている。すなわち、第３連結部材５０の側連結部３６に錘部材５３を設けることで、前記下枠部２６の重心が前後方向の中央より後端側に位置するようになる。従って、実施例と同様に立てた姿勢の外枠１１が枠構成部材の自重によって前側へ傾倒するのを抑制することができる。また、別実施例のように連結部材(第２部材)５０,５１に錘部材５３を着脱自在に取り付ける構成では、該錘部材５３が必要なくなった場合には取り外して別の外枠１１に取り付けて再利用することができる。なお、錘部材５３の固定位置は、第３連結部材５０と左側枠部材２７との連結に支障のない位置であればよい。または、左側枠部材２７に錘部材５３との干渉を防ぐ切欠部や貫通孔等を設けておけば、第３連結部材５０と左側枠部材２７との連結を支障なく行い得る。
【００４９】
別実施例において、前記錘部材５３を側連結部３６に着脱自在に取り付ける取着手段５２は、ネジ孔５４およびネジ５５の構成に限らず、側連結部３６に設けた被係合部に錘部材５３に設けた係合部を係合する構成、錘部材５３に設けた磁石を側連結部３６に設けた磁性体からなる磁着部に磁力吸着させる構成等、その他各種の手段を採用し得る。なお、第３連結部材５０自体を磁石が磁力吸着可能な鉄等の強磁性体で形成すれば、該磁石を任意に位置に簡単に取り付けることができる。
【００５０】
(変更例)
本願発明は前述した実施例の構成に限定されるものではなく、その他の構成を適宜に採用することができる。
(1) 実施例では、枠部材として外枠を挙げて説明したが、枠部材は中枠または前枠であってもよい。すなわち、枠部材を中枠とした場合は、該中枠を構成する下枠部を金属製の第１部材および第２部材で構成すると共に、両部材の底面を同一平面に位置するよう構成し、該中枠に取り付けられた枠構成部材の重心が中枠における下枠部の前端より外方に位置する場合に、該下枠部の重心が後側に偏るように構成すればよい。また、枠部材を前枠とした場合は、該前枠を構成する下枠部を金属製の第１部材および第２部材で構成すると共に、両部材の底面を同一平面に位置するよう構成し、該前枠に取り付けられた枠構成部材の重心が前枠における下枠部の前端より外方に位置する場合に、該下枠部の重心が後側に偏るように構成すればよい。そして、自立補助部材を中枠や前枠に配設して、前枠が取り付けられた中枠の形態または前枠のみの形態で取り扱われる場合の各形態での自立安定性を高める構成を採用し得る。
(2) 実施例では、外枠(枠部材)に中枠や前枠を取り付けた状態で、枠構成部材の重心が下枠部の前端より前側に位置する場合で説明したが、外枠(枠部材)に取り付けられた枠構成部材の重心が下枠部の後端より後側に位置する場合では、下枠部の重心が前後方向の中央より前側に位置するように構成部を設ければよい。また、外枠(枠部材)が枠構成部材によって後側に傾倒する構成であれば、自立補助部材の延出位置において脚部(補助底面)が下枠部の後縁より後方に延出するように構成すればよい。
(3) 実施例では、外枠(枠部材)に対して自立補助部材を回動自在に支持して、該自立補助部材を回転することで脚部を延出位置と退避位置とに変位するよう構成したが、枠部材に対して自立補助部材を前後方向に進退移動自在に配設し、該自立補助部材を進退移動することで脚部を延出位置と退避位置とに変位する構成を採用し得る。
(4) 実施例では、外枠(枠部材)に２つの自立補助部材を配設したが、該自立補助部材の配設数は１つあるいは３つ以上であってもよい。また、自立補助部材における補助底面の形状は、実施例の扇形に限らず円形、矩形状、多角形等、各種形状を採用し得る。
(5) 実施例では、下枠部を構成する連結部材(第２部材)に切欠部を形成することで後側に偏って構成部を設けるようにしたが、該連結部材(第２部材)の厚み寸法を前側より後側を厚く設定することで、厚みを大きくした構成部によって重心が前後方向の中央より後側(枠構成部材の重心とは反対の端側)に位置するようにしてもよい。
【００５１】
(6) 下枠部を構成する第１部材に形成する木製部材用の開口部を、該第１部材の前後方向の中央に対して枠構成部材の重心が位置する側と同じ端側に偏って設けることで、該下枠部の重心を、前後方向の中央を挟んで枠構成部材の重心とは反対の端側に位置させる構成を採用し得る。
(7) 実施例では、第１部材に配設した木製部材の開口部から下枠部の底面側に露出する底面が、下枠部の底面(下連結部および支持部)より上側に位置するよう構成したが、第１部材および第２部材の底面(下連結部および支持部)と木製部材の底面とを同一平面に位置させる構成を採用し得る。
(8) 別実施例では、下枠部を構成する連結部材(第２部材)の側連結部に錘部材(錘部)を着脱自在に設けたが、該連結部材(第２部材)の下連結部に錘部材(錘部)を着脱自在に設ける構成を採用し得る。すなわち、錘部材(錘部)を設ける部位は、当該連結部材(第２部材)の重心を前後方向の中央を挟んで外枠に取り付けられた枠構成部材の重心とは反対側に偏らせることができる位置であればよく、側規制壁や下規制壁に錘部材(錘部)を設けてもよい。
(9) 別実施例では、下枠部を構成する連結部材(第２部材)に錘部材(錘部)を着脱自在に設けるようにしたが、下枠部の重心を前後方向の中央を挟んで枠構成部材の重心とは反対の端側に位置させるように、該下枠部を構成する第１部材に錘部材(錘部)を着脱自在に設ける構成を採用し得る。
(10) 遊技機としては、パチンコ機に限られるものではなく、アレンジボール機やパチンコ球やコインを用いたスロットマシン等、その他各種の遊技機であってもよい。
【符号の説明】
【００５２】
１１ 外枠(枠部材)
１２ 中枠(枠構成部材)
１３ 前枠(枠構成部材)
２４ 設置枠台(設置部)
２５ 上枠部
２６ 下枠部
２７ 左側枠部
２８ 右側枠部
３１ 第３連結部材(第２部材)
３２ 第４連結部材(第２部材)
３４ 第１部材
３４ｃ 位置決め壁(構成部)
３４ｄ 開口部
３５ 下連結部
３６ 側連結部
３６ｃ 構成部
３７ 木製部材
４３ 自立補助部材
５３ 錘部材(錘部)
【図１】
2015202382.tif 000003
【図２】
2015202382.tif 000004
【図３】
2015202382.tif 000005
【図４】
2015202382.tif 000006
【図５】
2015202382.tif 000007
【図６】
2015202382.tif 000008
【図７】
2015202382.tif 000009
【図８】
2015202382.tif 000010
【図９】
2015202382.tif 000011
【図１０】
2015202382.tif 000012
【図１１】
2015202382.tif 000013